(57)【要約】【課題】リーダライタ本体を横置き、または縦置きにした場合でも、リーダライタ本体を適正な方向に向くように支持することの可能な情報記憶媒体用リーダライタを提供する。【解決手段】支持体２０を、リーダライタ本体１０の底面部１５にリーダライタ本体１０の傾斜方向が互いに反対になる異なった向きで取付可能に形成したので、リーダライタ本体１０を横置き、または縦置きにした場合でも、リーダライタ本体１０が前方に向くように支持することができる。従って、利用者が、離れた位置において情報を視認することができることから、例えば入退室管理システム等のようにリーダライタ本体を壁等に取付けるようなシステムにも容易に適用することができる。また、リーダライタ本体１０と支持体２０の他にリーダライタ本体１０の傾斜方向を転換させるための複雑な機構を必要としないので、製造コストを増加させることがないという利点がある。【選択図】図１
2007310736.tif 000002
【特許請求の範囲】
【請求項１】
所定の情報が記憶された情報記憶媒体に対して非接触で情報の読み書きを行うリーダライタ本体と、リーダライタ本体を一端側から他端側に向かって傾斜をなすように支持する支持体とを備えた情報記憶媒体用リーダライタにおいて、
前記支持体を、リーダライタ本体の所定の面にリーダライタ本体の傾斜方向が互いに反対になる異なった向きで取付可能に形成した
ことを特徴とする情報記憶媒体用リーダライタ。
【請求項２】
前記リーダライタ本体及び支持体の取付面に、リーダライタ本体が前記各傾斜方向になる向きでそれぞれ係合可能な係合部を設けた
ことを特徴とする請求項１記載の情報記憶媒体用リーダライタ。
【請求項３】
前記リーダライタ本体及び支持体の何れか一方の係合部を取付面に沿って延びる突出部により形成し、他方の係合部を取付面に沿った一方向及びその反対方向からそれぞれ突出部を係合可能な凹部から形成した
ことを特徴とする請求項２記載の情報記憶媒体用リーダライタ。
【請求項４】
前記リーダライタ本体及び支持体の取付面に、支持体がリーダライタ本体に取付けられたときに、互いに嵌合する嵌合部を設けた
ことを特徴とする請求項１、２または３記載の情報記憶媒体用リーダライタ。
【請求項５】
前記支持体に、一端側が支持体の取付面に連通した中空状の脚部を設け、
脚部の他端側を、支持体を外部に固定するための固定部材を脚部の一端側から挿通可能に形成するとともに、外部に接触する接触部材を取付可能に形成した
ことを特徴とする請求項１、２、３または４記載の情報記憶媒体用リーダライタ。
【請求項６】
前記支持体に、リーダライタ本体の一端側または他端側に接続されたケーブルを挿通可能な挿通溝を設けた
ことを特徴とする請求項１、２、３、４または５記載の情報記憶媒体用リーダライタ。
【発明の詳細な説明】
【技術分野】
【０００１】
本発明は、例えば電子マネー残高等の情報が記憶されたＩＣカード等の情報記憶媒体に対して情報の読み書きを行うことが可能な情報記憶媒体用リーダライタに関するものである。
【背景技術】
【０００２】
従来、この種の情報記憶媒体用リーダライタとして、所定の情報が記憶された情報記憶媒体に対して非接触で情報の読み書きを行うリーダライタ本体と、リーダライタ本体を支持する支持体とを備えたものが知られている（例えば特許文献１参照）。
【０００３】
また、図６（ａ）に示すように、リーダライタ本体１を一端側（背面部２側）から他端側（前面部３側）に向かって傾斜をなすように支持する支持体４を備えたものも知られている。このように構成することにより、上面部５に設けられた液晶表示部６等が前方に臨むので、利用者がリーダライタ本体１から離れた位置でも情報記憶媒体に記憶された情報を視認することができ、利用者の利便性を向上させることができる。
【０００４】
さらに、リーダライタ本体を傾斜させながら支持するものとして、リーダライタ本体の向きを転換させる機構を備えたものが知られている（例えば特許文献２参照）。
【特許文献１】特開２０００−６７１８３号公報
【特許文献２】特開２００２−１３３３７８号公報
【発明の開示】
【発明が解決しようとする課題】
【０００５】
しかしながら、前記従来例では、リーダライタ本体１が支持体４に固定されているので、例えばこのリーダライタを図６（ｂ）に示すように縦置きにして用いる場合には、リーダライタ本体１の上面部５が下方（図中反Ｚ方向）を向くように支持体４によって支持される。従って、利用者が離れた位置から情報を視認することができず、例えば入退室管理システム等のようにリーダライタ本体を縦置きにして壁等に取付けるようなシステムには容易に適用することができないという問題点があった。
【０００６】
また、特許文献２では、リーダライタ本体と支持体の他にリーダライタ本体の支持方向を転換させるための複雑な機構が必要となることから、製造コストが増加するという問題点があった。
【０００７】
本発明は前記問題点に鑑みてなされたものであり、その目的とするところは、リーダライタ本体を横置き、または縦置きにした場合でも、リーダライタ本体を適正な方向に向くように支持することの可能な情報記憶媒体用リーダライタを提供することにある。
【課題を解決するための手段】
【０００８】
本発明は、前記目的を達成するために、所定の情報が記憶された情報記憶媒体に対して非接触で情報の読み書きを行うリーダライタ本体と、リーダライタ本体を一端側から他端側に向かって傾斜をなすように支持する支持体とを備えた情報記憶媒体用リーダライタにおいて、前記支持体を、リーダライタ本体の所定の面にリーダライタ本体の傾斜方向が互いに反対になる異なった向きで取付可能に形成している。
【０００９】
これにより、リーダライタ本体の傾斜方向が互いに反対になる異なった向きで支持体に取付可能となることから、リーダライタ本体を横置き、または縦置きにした場合でも、リーダライタ本体が適正な方向に向くように支持される。
【発明の効果】
【００１０】
本発明によれば、リーダライタ本体を横置き、または縦置きにした場合でも、リーダライタ本体を適正な方向に向くように支持することができるので、利用者が離れた位置から情報を視認することができ、例えば入退室管理システム等のようにリーダライタ本体を縦置きにして壁等に取付けるようなシステムにも容易に適用することができる。また、リーダライタ本体と支持体の他にリーダライタ本体の支持方向を転換させるための複雑な機構を必要としないので、製造コストを増加させることがないという利点がある。
【発明を実施するための最良の形態】
【００１１】
図１乃至図５は本発明の一実施形態を示すもので、図１は情報記憶媒体用リーダライタの分解斜視図、図２はリーダライタ本体の底面部を示す要部拡大斜視図、図３は支持体の側面断面図、図４は取付時の動作を示す要部拡大斜視図、図５は情報記憶媒体用リーダライタの分解斜視図である。
【００１２】
本発明の情報記憶媒体用リーダライタは、所定の情報としての電子マネー残高が記憶された非接触ＩＣカードに対して非接触で電子マネー残高の読み書きを行うリーダライタ本体１０と、リーダライタ本体１０に着脱自在に取り付けられ、リーダライタ本体１０を背面側から前面側に向かって下方に傾斜するように支持する支持体２０とを備えている。
【００１３】
リーダライタ本体１０は周知の非接触ＩＣカード用リーダライタと同様の構成を有し、その外周が上面部１１、前面部１２、側面部１３、背面部１４及び底面部１５によって形成されている。また、リーダライタ本体１０は、その前後方向（図中Ｙ方向）の寸法が幅方向（図中Ｘ方向）よりも大きくなるように形成されている。上面部１１には、非接触ＩＣカードに記憶された電子マネー残高等の情報を表示する液晶表示部１１ａと、非接触ＩＣカードを載置するための載置部１１ｂと、載置部１１ｂに載置された非接触ＩＣカードの前面部１２側への移動を規制する規制部１１ｃとが設けられている。載置部１１ｂの裏面には、非接触ＩＣカードとの間でデータの送受信を行うためのアンテナ（図示省略）が設けられており、非接触ＩＣカードを載置部１１ｂに載置または近接させることによって、アンテナと非接触ＩＣカードとの間の非接触通信が可能となる。また、非接触ＩＣカードから読み出された電子マネー残高等の情報は、リーダライタ本体１０の内部に設けられた制御部（図示省略）の制御によって液晶表示部１１ａに表示される。
【００１４】
底面部１５は支持体２０の取付面として構成されており、その四隅には、支持体２０との取付方向、即ち底面部１５と直交する方向に突出する凹部１５ａがそれぞれ設けられている。各凹部１５ａは前後方向に貫通する係合孔１５ｂを有しており、係合孔１５ｂの前方または後方に位置する支持体２０と係合可能に形成されている。また、底面部１５の幅方向両端のそれぞれにおいて前後方向に配列された各凹部１５ａの間には、支持体２０との取付方向に突出する突起１５ｃが設けられている。また、底面部１５の中央部には、リーダライタ本体１０とＰＯＳ（Ｐｏｉｎｔ  Ｏｆ  Ｓａｌｅｓ）用端末（図示省略）との間で、電子マネー残高等のデータや前記制御部に対する制御信号等を伝送するケーブル１６が接続されている。
【００１５】
支持体２０は、合成樹脂の成形品からなり、底面が開口した箱型形状をなしている。支持体２０は、リーダライタ本体１０の取付面としての上面部２１と、前面部２２と、側面部２３と、背面部２４と、上端が上面部２１に連通した中空状の複数の脚部２５とからなり、背面部２４側の上下方向（図中Ｚ方向）の寸法が前面部２２側の上下方向の寸法よりも大きくなるように形成されている。即ち、上面部２１は、背面部２４側から前面部２２側に向かって下方に傾斜するように形成されており、上面部２１の四隅には、各脚部２５の上端に形成された開口部２５ａが設けられ、上面部２１の幅方向（図中Ｘ方向）両端側には、それぞれ前後方向（図中Ｙ方向）に所定間隔をおいて３つの孔２６ａ，２６ｂ及び２６ｃが設けられている。各孔２６ａ，２６ｂ及び２６ｃのうち前面部２２側及び背面部２４側の各孔２６ａ，２６ｃは、リーダライタ本体１０の凹部１５ａを挿入可能に形成されており、各孔２６ａ，２６ｃには、各孔２６ａ，２６ｃの後端側から上面部２１に沿って前面部２２側に向かって延びる突出部２６ｄがそれぞれ突設されている。また、各孔２６ａ，２６ｃの間の孔２６ｂには、孔２６ｂの前端側から上面部２１に沿って背面部２４側に向かって延びるとともに、リーダライタ本体１０の取付方向、即ち上面部２１に直交する方向に弾性変形可能な弾性片２６ｅが設けられており、弾性片２６ｅの先端側には、リーダライタ本体１０の突起１５ｃを嵌合する嵌合孔２６ｆが形成されている。
【００１６】
また、背面部２４には、リーダライタ本体１０のケーブル１６を挿通可能な挿通孔２４ａが設けられている。各脚部２５は略筒状に形成されており、その下端には、支持体２０を外部に固定するための固定部材としてのネジ２７や外部に接触する接触部材としてのゴム足２８を保持する保持部２５ｂが設けられている。保持部２５ｂは、脚部２５と床または壁等との接触面を覆うように形成されており、その中央部には、保持部２５ｂを上記接触面と直交する方向に貫通する取付孔２５ｃが形成されている。この場合、保持部２５ｂは、開口部２５ａから挿入されたネジ２７を取付孔２５ｃを介して外部に挿通させることができるとともに、外部から取付孔２５ｃを介して挿通されたゴム足２８を着脱自在に保持するようになっている。
【００１７】
なお、リーダライタ本体１０の突起１５ｃ及び支持体２０の嵌合孔２６ｆは、本願請求項でいう嵌合部を構成している。
【００１８】
以上のように構成された情報記憶媒体用リーダライタにおいて、リーダライタ本体１０を横置き、即ち上面部１１が上方に向いた状態で用いる場合には、床等の平面に載置された支持体２０の上面部２１にリーダライタ本体１０を載置する。この場合、各脚部２５の保持部２５ｂには、外部から取付孔２５ｃを介して挿通されたゴム足２８がそれぞれ取付けられている。図４に示すように、リーダライタ本体１０の各凹部１５ａを支持体２０の各孔２６ａ，２６ｃに挿入し、リーダライタ本体１０を支持体２０の上面部２１に沿って上方に摺動させると、各孔２６ａ，２６ｃの突出部２６ｄが各凹部１５ａの係合孔１５ｂの後端側（背面部１４側）に係合する。このとき、突起１５ｃは、各凹部１５ａが各孔２６ａ，２６ｃに挿入されたときに弾性片２６ｅに当接し、リーダライタ本体１０の上方への摺動に伴って上方に移動する。また、弾性片２６ｅは、突起１５ｃに押圧されながら弾性変形する。そして、各突出部２６ｄが係合孔１５ｂの所定位置まで係合すると、各突起１５ｃが各弾性片２６ｅの嵌合孔２６ｆに嵌合するとともに、各弾性片２６ｅが復元する。これにより、支持体２０がリーダライタ本体１０に取付けられる。
【００１９】
また、リーダライタ本体１０を縦置き、即ち上面部１１が前方に向いた状態で用いる場合には、支持体２０を、その前面部２２が上方に向くように壁等に取付ける。この場合、リーダライタ本体１０は、リーダライタ本体１０の傾斜方向が横置きにしたときと反対になる異なった向き、即ちリーダライタ本体１０の背面部１４側が支持体２０の前面部２２側に位置するように支持体２０に取付けられる。また、支持体２０は、開口部２５ａから挿通されたネジ２７を取付孔２５ｃを介して壁に締結することにより固定される。図５に示すように、リーダライタ本体１０の各凹部１５ａを支持体２０の各孔２６ａ，２６ｃに挿入し、リーダライタ本体１０を支持体２０の上面部２１に沿って下方に摺動させると、各孔２６ａ，２６ｃの突出部２６ｄが各凹部１５ａの係合孔１５ｂの前端側（前面部１２側）に係合する。また、各突起１５ｃは、リーダライタ本体１０を横置きにしたときと同様に、各突出部２６ｄが係合孔１５ｂの所定位置まで係合すると、各弾性片２６ｅの嵌合孔２６ｆに嵌合するとともに、各弾性片２６ｅが復元する。これにより、支持体２０がリーダライタ本体１０に取付けられる。
【００２０】
なお、リーダライタ本体１０を支持体２０に取付ける際には、ケーブル１５が支持体２０の挿通溝２４ａを介して外部に挿通されることから、ケーブル１５がリーダライタ本体１０の底面部１５と支持体２０の上面部２１との間に介在することがない。
【００２１】
このように、本実施形態の情報記憶媒体用リーダライタによれば、支持体２０を、リーダライタ本体１０の底面部１５にリーダライタ本体１０の傾斜方向が互いに反対になる異なった向きで取付可能に形成したので、リーダライタ本体１０を横置き、または縦置きにした場合でも、リーダライタ本体１０の上面部１１が前方に向くように支持することができる。従って、利用者がリーダライタ本体１０から離れた位置において情報を視認することができることから、例えば入退室管理システム等のようにリーダライタ本体を壁等に取付けるようなシステムにも容易に適用することができる。また、リーダライタ本体１０と支持体２０の他にリーダライタ本体１０の傾斜方向を転換させるための複雑な機構を必要としないので、製造コストを増加させることがないという利点がある。
【００２２】
また、リーダライタ本体１０の底面部１５及び支持体２０の上面部２１に、リーダライタ本体１０が前記各傾斜方向になる向きでそれぞれ係合可能な係合部（凹部１５ａ及び突出部２６ｄ）を設けたので、リーダライタ本体１０の取付が容易となり、利便性を向上させることができる。
【００２３】
さらに、支持体２０の係合部を上面部２１に沿って延びる突出部２６ｄにより形成し、リーダライタ本体１０の係合部を底面部１５に沿った前方及び後方からそれぞれ突出部２６ｄを係合可能な凹部１５ｂから形成したので、リーダライタ本体１０の傾斜方向を容易に転換させることができる。また、簡素な構成とすることができるので、製造コストを増加させることがないという利点がある。
【００２４】
また、リーダライタ本体１０の底面部１５及び支持体２０の上面部２１に、支持体２０がリーダライタ本体１０に取付けられたときに、互いに嵌合する嵌合部（突起１５ｃ及び嵌合孔２６ｆ）を設けたので、支持体２０をリーダライタ本体１０に確実に取付けることができるとともに、取付後におけるリーダライタ本体１０の支持体２０に対する位置ずれを防止することができる。
【００２５】
さらに、支持体２０に、上端側が支持体２０の上面部２１に連通した中空状の脚部２５を設け、脚部２５の下端側を、支持体２０を外部に固定するためのネジ２７が開口部２５ａから挿通可能に形成するとともに、外部に接触するゴム足２８を取付可能に形成したので、利用環境に応じて支持体２０の外部への固定または接触を容易に行うことができる。
【００２６】
さらに、支持体２０に、リーダライタ本体１０の底面部１５に接続されたケーブル１６を挿通可能な挿通溝２４ａを設けたので、取付時においてケーブル１５がリーダライタ本体１０の底面部１５と支持体２０の上面部２１との間に介在することがなく、支持体２０を確実にリーダライタ本体１０に取付けることが可能となる。
【００２７】
なお、前記実施形態では、非接触ＩＣカードを情報記憶媒体として用いたものを示したが、他にもＩＣタグや磁気カードを情報記憶媒体として用いてもよい。
【００２８】
また、前記実施形態では、リーダライタ本体１０に凹部１５ｂを設け、支持体２０に突出部２６ｄを設けたものを示したが、リーダライタ本体１０に突出部を設け、支持体２０に凹部を設けるようにしてもよい。この場合、前記実施形態と同様の作用効果が得られる。
【００２９】
さらに、前記実施形態では、リーダライタ本体１０に突起１５ｃを設けるとともに、支持体２０に嵌合孔２６ｆを設けることにより嵌合部を構成したものを示したが、リーダライタ本体１０に嵌合孔を設けるとともに、支持体２０に突起を設けるように構成してもよい。
【００３０】
また、前記実施形態では、接触部材としてゴム足２８を用いたものを示したが、合成樹脂の成形品や磁石等を接触部材として用いてもよい。
【図面の簡単な説明】
【００３１】
【図１】本発明の一実施形態を示す情報記憶媒体用リーダライタの分解斜視図
【図２】リーダライタ本体の底面部を示す要部拡大斜視図
【図３】支持体の側面断面図
【図４】取付時の動作を示す要部拡大斜視図
【図５】情報記憶媒体用リーダライタの分解斜視図
【図６】従来の情報記憶媒体用リーダライタの斜視図
【符号の説明】
【００３２】
１０…リーダライタ本体、１２…前面部、１４…背面部、１５…底面部、１５ａ…凹部、１５ｃ…突起、１６…ケーブル、２０…支持体、２１…上面部、２４ａ…挿通溝、２５…脚部、２５ａ…開口部、２５ｂ…保持部、２５ｃ…取付孔、２６ｄ…突出部、２６ｆ…嵌合孔、２７…ネジ、２８…ゴム足。
【図１】
2007310736.tif 000003
【図２】
2007310736.tif 000004
【図３】
2007310736.tif 000005
【図４】
2007310736.tif 000006
【図５】
2007310736.tif 000007
【図６】
2007310736.tif 000008